(57)【要約】      （修正有）【課題】マイク本体をマイク支持部材に対して着脱可能とするとともに、マイク本体の使用中におけるマイク支持部材からの離脱を防ぐことにより、安定して音声信号の接続を行うことができる、会議用マイク、及び、これを備える会議システムを提供する。【解決手段】会議用マイクＭは、ベース１０と、ベースの上側に立設される棒状のマイク本体２０と、を備え、マイク本体の下端にコネクター２１が形成され、コネクターは、ベースの上面に開口されたコネクター受け１０ｈに挿入かつ着脱可能とされ、コネクターがコネクター受けに挿入された状態で、コネクター受けから抜き取られることを規制する、プッシュ式の着脱ボタン１１を備える。会議システムは、複数個の会議用マイクと、複数個のマイクの機能を制御する制御装置と、制御装置を介してマイクの状態を一個ごと調節するとともに、マイクの状態を表示するタブレット型コンピュータと、を備える。【選択図】図１
0003230310.tif 000002
【実用新案登録請求の範囲】
【請求項１】
マイク支持部材と、該マイク支持部材の上側に立設される棒状のマイク本体と、を備える会議用マイクであって、
前記マイク本体の下端には固定部が形成され、
前記固定部は、前記マイク支持部材の上面に開口された挿入孔に挿入可能かつ着脱可能とされ、
前記マイク支持部材は、前記固定部が前記挿入孔に挿入された状態で、前記固定部が前記挿入孔から抜き取られることを規制するとともに、該規制を解除するためのプッシュ式のロック解除機構を備える、会議用マイク。
【請求項２】
前記マイク支持部材は、一方の上下方向高さが他方の上下方向高さよりも小さくなるように前記上面が傾斜して形成され、
前記挿入孔は、前記上面における前記他方側端部に設けられる、請求項１に記載の会議用マイク。
【請求項３】
前記マイク支持部材の前記他方側下部には凹部が形成される、請求項２に記載の会議用マイク。
【請求項４】
前記マイク支持部材における接続端子が前記凹部の前面に設けられる、請求項３に記載の会議用マイク。
【請求項５】
前記マイク本体の上端には集音部が形成され、
前記固定部と前記集音部との間は連結部により連結され、
前記連結部は、第一の可動部と、第二の可動部と、前記第一の可動部と前記第二の可動部との間に設けられる棒体部と、を備え、
前記第一の可動部が前記固定部に連結され、前記第二の可動部が前記集音部に連結される、請求項１から請求項４の何れか１項に記載の会議用マイク。
【請求項６】
前記マイク支持部材の下面には複数のフェルト材が設けられる、請求項１から請求項５の何れか１項に記載の会議用マイク。
【請求項７】
複数個の請求項１から請求項６の何れか１項に記載の会議用マイクと、
複数個の前記会議用マイクの機能を制御する制御装置と、
前記制御装置を介して複数個の前記会議用マイクの状態を一個ごとに調節可能とするとともに、複数個の前記会議用マイクの状態を表示可能とするタブレット型コンピュータと、を備える、会議システム。
【請求項８】
前記タブレット型コンピュータには、前記タブレット型コンピュータへのタッチ入力操作により、複数個の前記会議用マイクの配置形状が表示される、請求項７に記載の会議システム。
【請求項９】
前記タブレット型コンピュータには、前記タブレット型コンピュータに予め記憶された配置レイアウトに基づいて、複数個の前記会議用マイクの配置形状が表示可能とされる、請求項８に記載の会議システム。
【請求項１０】
前記タブレット型コンピュータには、複数個の前記会議用マイクの配置形状及び状態が記録可能とされる、請求項９に記載の会議システム。
【請求項１１】
少なくとも１個の通訳ブースが前記制御装置に接続される、請求項７から請求項１０の何れか１項に記載の会議システム。
【考案の詳細な説明】
【技術分野】
【０００１】
本考案は、会議用マイク、及び、この会議用マイクを用いた会議システムに関する。
【背景技術】
【０００２】
従来、多数の参加者が発言を行う会議、例えば社内会議や国際会議等において用いられる会議用マイク、及び、この会議用マイクを用いた会議システムが知られている（例えば、特許文献１を参照）。
【先行技術文献】
【特許文献】
【０００３】
【特許文献１】特開２００６−２１７５９３号公報
【考案の概要】
【考案が解決しようとする課題】
【０００４】
上記の特許文献に記載の如く、従来一般的に用いられている会議用マイクは、マイク本体を持ってマイク全体を引き寄せようとした際に、マイク本体がマイク支持部材から簡単に離脱し、音声信号の接続が遮断する場合があった。
【０００５】
本考案は、上述の課題に鑑みてなされたものであり、マイク本体をマイク支持部材に対して着脱可能とするとともに、マイク本体の使用中におけるマイク支持部材からの離脱を防ぐことにより、安定して音声信号の接続を行うことができる、会議用マイク、及び、これを備える会議システムを提供することを目的としている。
【課題を解決するための手段】
【０００６】
本考案は、前述の課題解決のために、以下の会議用マイクを構成した。
【０００７】
（１）マイク支持部材と、該マイク支持部材の上側に立設される棒状のマイク本体と、を備える会議用マイクであって、前記マイク本体の下端には固定部が形成され、前記固定部は、前記マイク支持部材の上面に開口された挿入孔に挿入可能かつ着脱可能とされ、前記マイク支持部材は、前記固定部が前記挿入孔に挿入された状態で、前記固定部が前記挿入孔から抜き取られることを規制するとともに、該規制を解除するためのプッシュ式のロック解除機構を備える、会議用マイク。
【０００８】
（２）前記マイク支持部材は、一方の上下方向高さが他方の上下方向高さよりも小さくなるように前記上面が傾斜して形成され、前記挿入孔は、前記上面における前記他方側端部に設けられる、（１）に記載の会議用マイク。
【０００９】
（３）前記マイク支持部材の前記他方側下部には凹部が形成される、（２）に記載の会議用マイク。
【００１０】
（４）前記マイク支持部材における接続端子が前記凹部の前面に設けられる、（３）に記載の会議用マイク。
【００１１】
（５）前記マイク本体の上端には集音部が形成され、前記固定部と前記集音部との間は連結部により連結され、前記連結部は、第一の可動部と、第二の可動部と、前記第一の可動部と前記第二の可動部との間に設けられる棒体部と、を備え、前記第一の可動部が前記固定部に連結され、前記第二の可動部が前記集音部に連結される、（１）から（４）の何れか一に記載の会議用マイク。
【００１２】
（６）前記マイク支持部材の下面には複数のフェルト材が設けられる、（１）から（５）の何れか一に記載の会議用マイク。
【００１３】
また、本考案は、前述の課題解決のために、以下の会議システムを構成した。
【００１４】
（７）複数個の（１）から（６）の何れか一に記載の会議用マイクと、複数個の前記会議用マイクの機能を制御する制御装置と、前記制御装置を介して複数個の前記会議用マイクの状態を一個ごとに調節可能とするとともに、複数個の前記会議用マイクの状態を表示可能とするタブレット型コンピュータと、を備える、会議システム。
【００１５】
（８）前記タブレット型コンピュータには、前記タブレット型コンピュータへのタッチ入力操作により、複数個の前記会議用マイクの配置形状が表示される、（７）に記載の会議システム。
【００１６】
（９）前記タブレット型コンピュータには、前記タブレット型コンピュータに予め記憶された配置レイアウトに基づいて、複数個の前記会議用マイクの配置形状が表示可能とされる、（８）に記載の会議システム。
【００１７】
（１０）前記タブレット型コンピュータには、複数個の前記会議用マイクの配置形状及び状態が記録可能とされる、（９）に記載の会議システム。
【００１８】
（１１）少なくとも１個の通訳ブースが前記制御装置に接続される、（７）から（１０）の何れか一に記載の会議システム。
【考案の効果】
【００１９】
本考案に係る会議用マイクによれば、マイク本体をマイク支持部材に対して着脱可能とするとともに、マイク本体の使用中におけるマイク支持部材からの離脱を防ぐことにより、安定して音声信号の接続を行うことができる。
【図面の簡単な説明】
【００２０】
【図１】一実施形態に係る会議用マイクを示す斜視図。
【図２】会議用マイクの連結構造を示す側面図。
【図３】会議用マイクを示す平面図。
【図４】会議用マイクを示す下方斜視図。
【図５】一実施例に係る会議システムの構成を示す模式図。
【図６】開始方法選択画面を示す図。
【図７】第一画面を示す図。
【図８】第二画面を示す図。
【図９】第三画面を示す図。
【図１０】第四画面を示す図。
【図１１】第五画面を示す図。
【図１２】第六画面を示す図。
【図１３】第七画面を示す図。
【図１４】第八画面を示す図。
【図１５】第九画面を示す図。
【図１６】第十画面を示す図。
【図１７】第十一画面を示す図。
【図１８】第十二画面を示す図。
【図１９】別実施例に係る会議システムの構成を示す模式図。
【考案を実施するための形態】
【００２１】
［会議用マイク］
以下、本考案の一実施形態に係る会議用マイクＭについて、図１から図４を用いて説明する。以下の説明においては、図１中に記載する矢印で会議用マイクＭの方向を規定する。図１から図４に示す如く、会議用マイクＭは、本考案に係るマイク支持部材であるベース１０と、ベース１０の上側に立設される棒状のマイク本体２０と、を備える。ベース１０とマイク本体２０とは、金属製部材及び樹脂製部材を組み合わせて構成されている。
【００２２】
ベース１０は、前側の上下方向高さが後側の上下方向高さよりも小さくなるように上面１０ｔが傾斜して形成されたケース部材である。ベース１０の内部には、マイク本体２０が音声から変換した電気信号を外部に送信する装置、外部からの電気信号を受信する装置、内蔵スピーカー１４又はイヤホン端子１９を介して出力される音声信号の音量を調節する装置、記憶装置等が収容されている。ベース１０の内面はノイズ対策のために導電塗装が施されている。また、ベース１０の下面１０ｂはアルミダイキャストによるアルマイト仕上げで形成されており、すべり防止のために粉体塗装が施されている。
【００２３】
ベース１０における上面１０ｔの左右方向中央の後端部には、挿入孔であるコネクター受け１０ｈが形成されている。コネクター受け１０ｈには、マイク本体２０の下端に形成された固定部であるコネクター２１が図２中の矢印に示す如く挿入可能かつ着脱可能とされる。コネクター２１がコネクター受け１０ｈに挿入された際には、ベース１０とマイク本体２０とが電気的に接続される。
【００２４】
また、ベース１０には二本の通信ケーブルであるケーブルＣが接続可能とされている。ベース１０はこのケーブルＣを介して他の会議用マイクＭ又は会議システムＭＳ１における制御装置ＣＵ（Ｃｏｎｔｒｏｌ  Ｕｎｉｔ、図５を参照）と電気的に接続される。なお、本実施形態に係る会議用マイクＭに接続されるケーブルＣは、会議用マイクＭの仕様に合わせて本願出願人が独自に開発したものであり、従来のＬＡＮケーブルを使用した会議用マイクと比較して動作が安定するという優れた特徴を備えている。
【００２５】
図２及び図４に示す如く、ベース１０の下面１０ｂには複数（本実施形態においては四個）のフェルト材１０ｆが設けられる。これにより、会議用マイクＭを机において使用する場合、会議用マイクＭを机の天板上で滑らかに移動させることができる。このため、会議用マイクＭの移動時に異音が発生して会議用マイクＭに集音されてしまうことを防止できる。また、フェルト材１０ｆはゴム足のように机に跡が付かないため、机を汚すことを防止できる。
【００２６】
ベース１０の上面の中央部には、ケーブルＣを通して入力された音声を出力する内蔵スピーカー１４が設けられる。会議用マイクＭを使用する会場が小さい場合は、大きなスピーカーのような音響装置が設備されていないような場所でも内蔵スピーカー１４を用いることにより、会議用マイクＭをスタンドアローンで使用することができる。その場合、ハウリングを防止するため、ＯＮされたマイクについては内蔵スピーカー１４から出力される音声をミュートするように構成している。
【００２７】
また、ベース１０の左右両側の側面には、イヤホン又はヘッドホンの端子を挿入可能なイヤホン端子１９が設けられる。本実施形態に係るベース１０においては、左右のそれぞれに二個のイヤホン端子１９を設けることにより、一台の会議用マイクＭを二人で使用できるように構成している。
【００２８】
ベース１０における上面１０ｔの左右方向中央の前端部には、会話要求ボタンであるメインボタン１５が設けられる。会議用マイクＭを使用する話者がこのメインボタン１５を押下すると、要求信号がケーブルＣを通じて制御装置ＣＵに送信される。また、会議用マイクＭは、メインボタン１５を押している間だけＯＮになる「プッシュモード」とすることも可能である。また、メインボタンを分割して、一方のボタンを、発言を許可する際に用いる最優先会話要求ボタン（議長等）、他方のボタンを、自分以外の他参加者を全てＯＦＦにする強制ＯＦＦボタンとして構成することも可能である。
【００２９】
ベース１０における上面１０ｔの後端部の左右両側には、それぞれ二個の入力選択ボタン１６、音量減ボタン１７、及び音量増ボタン１８が設けられる。入力選択ボタン１６はイヤホン端子１９から出力される音声信号のチャンネルを変更するボタンである。音量減ボタン１７及び音量増ボタン１８は、イヤホン端子１９から出力される音声の音量を減少又は増加させるボタンである。本実施形態に係る会議用マイクＭにおいては、上記の会話要求ボタン１５、入力選択ボタン１６、音量減ボタン１７、及び音量増ボタン１８等の各種ボタンについて、高い視認性及び操作性を実現可能な位置及び形状に形成されている。
【００３０】
ベース１０は、マイク本体２０のコネクター２１がコネクター受け１０ｈに挿入された際に、コネクター２１がコネクター受け１０ｈから抜き取られることを規制する。具体的には、コネクター受け１０ｈの内周面にはばねによる付勢部材が設けられ、コネクター２１の外周面を押圧することにより固定している。また、ベース１０は、コネクター２１の規制を解除するためのプッシュ式のロック解除機構である着脱ボタン１１を備える。会議用マイクＭの設定者は、着脱ボタン１１を下方に押し込むことにより、コネクター２１の外周面に対する押圧を解除して、コネクター２１をコネクター受け１０ｈから抜き取ることが可能となる。
【００３１】
上記の如く、マイク本体２０のコネクター２１をベース１０のコネクター受け１０ｈに挿入することで、コネクター２１がコネクター受け１０ｈから抜き取られることを規制している。これにより、会議用マイクＭを使用する話者がマイク本体２０を持って引き寄せようとした場合でも、マイク本体２０がベース１０から簡単に離脱することがない。このように、会議用マイクＭにおいては、マイク本体２０のコネクター２１をコネクター受け１０ｈに固定可能とすることにより、マイク本体２０の使用中におけるベース１０からの離脱を防ぐことができるため、安定して音声信号の接続を行うことができる。
【００３２】
また、会議用マイクＭにおいては、着脱ボタン１１を下方に押圧することにより、コネクター２１をコネクター受け１０ｈから抜き取ることを可能としている。このように、本実施形態に係る会議用マイクＭによれば、簡易な構成によりマイク本体２０がベース１０に対して着脱可能とされている。
【００３３】
また、本実施形態に係る会議用マイクＭにおいては図２及び図４に示す如く、ベース１０の後側下部に凹部１２が形成される。これにより、話者が会議用マイクＭを持ち上げる際に、凹部１２に指を入れて持ち上げ易くしている。また、本実施形態に係る会議用マイクＭにおいて、コネクター受け１０ｈは、ベース１０の上面１０ｔにおける後側端部に設けられている。これにより、会議用マイクＭを持ち上げる際に、凹部１２に指を入れながらマイク本体２０のコネクター２１を親指で掴むことができる。このように、本実施形態に係る会議用マイクＭは、片手でも安定して持ち運ぶことを可能としている。このため、多数の会議用マイクＭを使用する会議を行う場合に、会議用マイクＭの設営及び撤去時に現場での作業性を向上させることが可能となる。
【００３４】
また、本実施形態に係る会議用マイクＭにおいては図２及び図４に示すごとく、ベース１０において、ケーブルＣのケーブル端子Ｃｔが接続される接続端子であるマイク端子１３が凹部１２の前面１２ｆに設けられる。これにより、図２に示す如く、ベース１０の後方からケーブルＣのケーブル端子Ｃｔを接続することができる。即ち、会議用マイクＭを持ち上げたりすることなく、ベース１０に対するケーブルＣの抜き差しを容易に行うことが可能となる。
【００３５】
また、本実施形態に係る会議用マイクＭにおいては、マイク端子１３が設けられる前面１２ｆの面積を従来技術に係るマイクと比較して大きく確保している。このため、ケーブル端子Ｃｔとして大型の接続部材を採用することができ、従来のマイクと比較してマイク端子１３に対するケーブル端子Ｃｔの着脱が容易になるため、作業性を向上させることができる。
【００３６】
また、本実施形態に係る会議用マイクＭにおいては、マイク端子１３を凹部１２の前面１２ｆに設けることにより、マイク端子１３を会議用マイクＭの外側から見えないようにしている。これにより、会議用マイクＭの意匠性を向上させることができるとともに、ケーブル端子Ｃｔ及びマイク端子１３を保護することが可能となる。
【００３７】
マイク本体２０の上端には集音部として、内部にマイクユニットが収容されたマイクヘッド２２が設けられる。マイクヘッド２２の上端にはメッシュ２２ａが設けられる。また、マイクヘッド２２には発言が許容された際に発光するＬＥＤリング２２ｂが設けられる。本実施形態に係る会議用マイクＭにおいて、マイクヘッド２２はオリジナル金型によるダイキャストで成形されている。
【００３８】
コネクター２１とマイクヘッド２２との間は連結部２３により連結されている。また、連結部２３は、形状を湾曲形状に可変とされる、第一の可動部である下部グースネック２３ａ、及び、第二の可動部である上部グースネック２３ｂと、下部グースネック２３ａと上部グースネック２３ｂとの間に設けられる棒体部であるシャフト２３ｃと、を備える。下部グースネック２３ａとシャフト２３ｃとは、グースネック嵌合部２３ｄを介して連結される。そして、下部グースネック２３ａがコネクター２１に連結され、上部グースネック２３ｂがマイクヘッド２２に連結される。
【００３９】
上記の如く、本実施形態に係る会議用マイクＭにおいて、マイク本体２０には二箇所のグースネック２３ａ・２３ｂが設けられる。これにより、会議用マイクＭの話者がマイク本体２０の形状を容易に変更することが可能となる。具体的には、話者の位置や体格に応じてマイク本体２０におけるマイクヘッド２２の向きを変更することができるため、マイク本体２０の姿勢の自由度を向上させることができる。また、マイク本体２０の形状を変更する際の力を二箇所に分散することができるため、マイク本体２０の耐久性が向上するとともに経年劣化を抑制することが可能となる。
【００４０】
また、会議用マイクＭのマイク本体２０は、マイクヘッド２２をダイキャストによる金属製部材で成形している。これにより、マイク本体２０に高級感を持たせることができるとともに、マイクヘッド２２がひび割れすることもなく耐久性が向上する。また、感染症対策としてマイクヘッド２２について紫外線による消毒を行うこともできる。
【００４１】
また、会議用マイクＭにおいては、搬送のためのトランクケースへの収納時に、ウレタン製の梱包材から出るアンモニアガスによる金属の応力腐食による劣化を防ぐため、マイク本体２０の塗装を厚くしている。また、トランクケースに収容する梱包材には、ガス放出の少ないタイプである海外製の高級ウレタン材を採用している。
【００４２】
［会議システム］
以下、本考案の一実施例に係る会議システムＭＳ１について、図５から図１８を用いて説明する。本実施例に係る会議システムＭＳ１は、図５に示す如く、複数個（本実施例においては１１個）の会議用マイクＭを備える。本実施例に係る会議システムＭＳ１においては、会議用マイクＭａ〜Ｍｇの１１個の会議用マイクＭを使用しているが、会議システムが備える会議用マイクＭの個数数は限定されるものではなく、数個から数百個までの任意の個数とすることが可能である。会議用マイクＭａ〜Ｍｇは、個別の識別番号が記録されている。
【００４３】
本実施例に係る会議システムＭＳ１は、図５に示す如く、会議用マイクＭａ〜Ｍｇと電気的に接続されてこれらの機能を制御する制御装置ＣＵと、制御装置ＣＵと電気的に接続されることにより、制御装置ＣＵを介して会議用マイクＭａ〜Ｍｇの状態を一個ごとに調節可能とするとともに、会議用マイクＭａ〜Ｍｇの状態を表示可能とするタブレット型コンピュータ（以下、単に「タブレット」と表記する）Ｔと、制御装置ＣＵと電気的に接続されて会議用マイクＭａ〜Ｍｇで集音した音を会場内に音波として放出するスピーカーＳと、を備える。制御装置ＣＵ及びタブレットＴには、会議システムＭＳ１を稼働させるために必要な処理装置及び所定のプログラム等を記憶する記憶装置、通信装置等が備えられている。
【００４４】
本実施例に係る会議システムＭＳ１においては図５に示す如く、制御装置ＣＵと各会議用マイクＭａ〜ＭｇをケーブルＣによって環状に接続している。これにより、制御装置ＣＵはそれぞれの会議用マイクＭａ〜Ｍｇが接続されたことを認識する。この際、会議用マイクＭａ〜Ｍｇの個別の識別番号と、タブレットＴに表示するマイクアイコンＭ１〜Ｍ１１の番号とが紐づけられる。
【００４５】
上記の如く、本実施例においては制御装置ＣＵと各会議用マイクＭａ〜ＭｇをケーブルＣによって環状に接続しているため、外部から力が加わってケーブルＣが断線した場合や、会議の途中で故障等により会議用マイクＭａ〜Ｍｇの何れかを交換する必要が生じた場合でも、他の会議用マイクが制御装置ＣＵと接続された状態を維持できるため、支障なく会議を継続することができる。また、制御装置ＣＵが会議用マイクＭａ〜Ｍｇを認識する時間を短縮することができる。
【００４６】
会議システムＭＳ１を使用する際は、図５に示す如く各機器を接続した状態でタブレットＴにおける専用ソフトを立ち上げる。以下、図６から図１８に示すタブレットＴの表示画面Ｄを用いて、会議システムＭＳ１の使用方法について説明する。会議システムＭＳ１においては、タブレットＴの表示画面（タッチパネル）に触れることにより入力する構成が採用されている。
【００４７】
上記の如く、会議システムＭＳ１においては、操作端末であるタブレットＴをタッチパネル方式としている。本実施例において、タブレットＴは縦横どちらでも使用できるように構成しているため、会場のレイアウトに合わせて設営の自由度を向上させることができる。なお、タブレットＴに無線ＬＡＮのルーター機能を追加して、無線環境にて遠隔操作ができるようにすることも可能である。これにより、タブレットＴを会議等の司会者の手元に置き、司会者が会議参加者の会議用マイクＭを直接的にＯＮ／ＯＦＦ操作することが可能となる。
【００４８】
まず、会議システムＭＳ１の設定者は、図６に示す如くタブレットＴの開始方法選択画面Ｄｐにおいて、会議用マイクＭａ〜Ｍｇの調節及び表示を開始する方法について選択する。図６に示す如く、開始方法選択画面Ｄｐにおいては、「新規セットアップ」コマンドＣｐ１、「レイアウトからセットアップ」コマンドＣｐ２、「メモリ呼び出し」コマンドＣｐ３の入力アイコンが表示される。
【００４９】
図６中の「新規セットアップ」コマンドＣｐ１を選択した場合、図７に示す第一画面Ｄ１に遷移する。図６中の「レイアウトからセットアップ」コマンドＣｐ２を選択した場合、図１４に示す第八画面Ｄ８に遷移する。図６中の「メモリ呼び出し」コマンドＣｐ３を選択した場合、図１８に示す第十二画面Ｄ１２に遷移する。
【００５０】
図７に示す第一画面Ｄ１においては、キャンセルコマンドＣ１１、開始コマンドＣ１２、及び、会場・会議名等入力ウィンドウＷ１等が表示される。キャンセルコマンドＣ１１を選択した場合、開始方法選択画面Ｄｐに戻る。会場・会議名等入力ウィンドウＷ１に会場・会議名等を入力して開始コマンドＣ１２を選択した場合、図８に示す第二画面Ｄ２に遷移する。
【００５１】
図８に示す第二画面Ｄ２においては、マイクアイコンＭ１〜Ｍ１１、第一領域Ｆ２１、第二領域Ｆ２２、マイク台数表示部Ｓ２、第二コマンドＣ２、自動配置ボタンＢ２等が表示される。本実施例においては、図５に示す如く１１個の会議用マイクＭａ〜Ｍｇが制御装置ＣＵに接続及び認識されているため、第二画面Ｄ２においてもそれぞれの会議用マイクＭａ〜Ｍｇに対応する１１個のマイクアイコンＭ１〜Ｍ１１が表示されている。
【００５２】
図８に示す如く、マイクアイコンＭ１〜Ｍ１１は当初、第二画面Ｄ２の下側における第二領域Ｆ２２に表示されている。会議システムＭＳ１の設定者は、自動配置ボタンＢ２をタッチしてから第一領域Ｆ２１における任意の箇所をタッチすると、第二領域Ｆ２２における左端のマイクアイコン（図８においてはマイクアイコンＭ１）の表示箇所が第一領域Ｆ２１の当該箇所に切り替わる。
【００５３】
同様に、マイクアイコンＭ２・Ｍ３・・・と続けて第一領域Ｆ２１に表示させていくことにより、図９に示す第三画面Ｄ３の如く、マイクアイコンの表示を実際の会議用マイクＭａ〜Ｍｇの配置形状（図５を参照）と同じ形状に表示することができる（第三画面Ｄ３はマイクアイコンＭ７までを第一領域Ｆ２１に表示した状態）。このように、会議システムＭＳ１において、タブレットＴには、タブレットＴへのタッチ入力操作により、複数個の会議用マイクＭａ〜Ｍｇの実際の配置形状が表示される。
【００５４】
上記の如く、本実施例に係る会議システムＭＳ１においては、第二領域Ｆ２２に表示されたマイクアイコンＭ１〜Ｍ１１を第一領域Ｆ２１の任意の箇所に表示できる。このため、会場における会議用マイクＭａ〜Ｍｇのレイアウトをそのまま見た目の状態でタブレットＴの画面上に再現することができる。また、これにより、視覚的にすばやく会議用マイクＭのＯＮ／ＯＦＦなどの操作をすることが可能になる。また急なレイアウト変更が生じた場合、本番中でも迅速に変更する事が可能となる。
【００５５】
本実施例に係る会議システムＭＳ１においては、マイクアイコンの大きさを変えることを可能としている。これにより、多数の会議用マイクＭを使用するような場合でも、タブレットＴにおける限られた画面サイズ上にレイアウトを収めることができる。それでも収まらないような大規模な会議の場合は、タブレットＴを複数枚並べることで対処できるように構成することも可能である。
【００５６】
また、本実施例に係る会議システムＭＳ１において、マイクアイコンには、紐づいている会議用マイクＭを使用する話者の名前を漢字やアルファベットで表示することも可能である。また、その話者の会議における重要度によってアイコンを色分けすることもできる。また、タブレットＴにおける表示画面は、明るさなどの条件が悪い会場でも視認性を保てるように画面の背景色を変えられるようにしている。また、マイクアイコンは、各マイクがＯＮの状態なのか待機状態なのかが明瞭に判別できる図柄を採用している（図１３を参照）。
【００５７】
図８に示す第二画面Ｄ２において、マイク台数表示部Ｓ２には、制御装置ＣＵに認識されてタブレットＴに表示されているマイクアイコンＭ１〜Ｍ１１のうち、何個が第一領域Ｆ２１に表示されているかを示している（図９、図１０についても同様）。また、第二コマンドＣ２をタッチすることにより、各種の設定画面に遷移する（図９から図１１についても同様）。
【００５８】
また、本実施例に係る会議システムＭＳ１において、一度認識された会議用マイクＭの故障や断線等により制御装置ＣＵとの接続が遮断された場合、制御装置ＣＵで所定の操作を行うことにより、図１０に示す第四画面Ｄ４におけるマイクアイコンＭ４に示す如く「×」の表示がなされる。
【００５９】
また、本実施例に係る会議システムＭＳ１において、識別番号の異なる会議用マイクＭに交換された場合は、図１０に示す第四画面Ｄ４におけるマイクアイコンＭ５に示す如くマイクアイコンが白抜きで表示される。
【００６０】
また、本実施例に係る会議システムＭＳ１において、新たな会議用マイクＭが追加して接続された場合には、図１０の第四画面Ｄ４に示す如くマイクアイコンＭ１２が追加して表示されるとともに、第四画面Ｄ４の下側に「マイクが追加されました」という表示がなされる。
【００６１】
図９に示す第三画面Ｄ３において、全てのマイクアイコンＭ１〜Ｍ１１の第一領域Ｆ２１での表示が完了すると、図１１に示す第五画面Ｄ５に遷移する。会議システムＭＳ１においては、図１１に示す如く、要注意設定されたマイクアイコンに要注意表示Ａ５を表示することを可能としている。
【００６２】
第五画面Ｄ５では、モード切替表示部Ｓ５が表示される。モード切替表示部Ｓ５において「設定」の表示をタッチすると、図１２に示す如く各マイクアイコンＭ１〜Ｍ１１の詳細設定が可能となる。モード切替表示部Ｓ５において「本番」の表示をタッチすると、図１３に示す如く会議モードである第七画面Ｄ７が表示される。
【００６３】
モード切替表示部Ｓ５において「設定」の表示をタッチした状態で、マイクアイコンＭ１〜Ｍ１１の何れかをタッチすると、図１２に示す如くタッチしたマイクアイコンに紐づけられている会議用マイクＭの詳細設定画面である第六画面Ｄ６に遷移する。
【００６４】
図１２に示す第六画面Ｄ６においては、キャンセルコマンドＣ６１、完了コマンドＣ６２、初期コマンドＣ６３、要注意コマンドＣ６４、マイクサイズコマンドＣ６５、入力レベルコマンドＣ６６、ＥＱコマンドＣ６７及び、名前入力ウィンドウＷ６等が表示される。
【００６５】
第六画面Ｄ６においてキャンセルコマンドＣ６１を選択した場合、第六画面Ｄ６での入力を反映せずに第五画面Ｄ５に戻る。同じく完了コマンドＣ６２を選択した場合、第六画面Ｄ６での入力を反映して第五画面Ｄ５に戻る。同じく初期コマンドＣ６３を選択した場合、当該マイクの全ての設定を初期設定に変更する。要注意コマンドＣ６４、マイクサイズコマンドＣ６５、入力レベルコマンドＣ６６、ＥＱコマンドＣ６７では、それぞれの会議用マイクＭの機能についての詳細設定がなされる。名前入力ウィンドウＷ６には、会議用マイクＭを使用する者の氏名等が入力可能とされる。
【００６６】
このように、本実施例に係る会議システムＭＳ１においては、会議用マイクＭの音量や音質を、一個ごとに細かく調整可能としている。これにより、会議用マイクＭを使用する話者の声量や声質、当該会議用マイクＭの周囲の音響環境等に対応することを可能としている。
【００６７】
図１３に示す如く会議モードである第七画面Ｄ７では、会話要求ボタン１５が押された会議用マイクＭに紐づけられたマイクアイコンにその旨が表示される。タブレットＴの操作者（会議の司会者等）が発言を許可する場合は、操作者が「ＯＫ」をタッチすることにより、図１３中のマイクアイコンＭ１に示す如く当該会議用マイクＭがＯＮ状態となる。操作者が発言を許可しない場合は、「ＣＡＮＣＥＬ」をタッチすることにより、当該会議用マイクＭがＯＦＦ状態で維持される。
【００６８】
なお、会議モードである第七画面Ｄ７でも、モード切替表示部Ｓ７が表示される。モード切替表示部Ｓ７において「設定」の表示をタッチすると、図１１に示す第五画面Ｄ５に遷移する。また、第七画面Ｄ７において、第七コマンドＣ７をタッチすることにより、各種の設定が可能となる。
【００６９】
図６に示すタブレットＴの開始方法選択画面Ｄｐにおいて、「レイアウトからセットアップ」コマンドＣｐ２を選択した場合、図１４に示す第八画面Ｄ８に遷移する。図１４に示す第八画面Ｄ８においては、キャンセルコマンドＣ８及び各種のレイアウトが表示される。キャンセルコマンドＣ８を選択した場合、開始方法選択画面Ｄｐに戻る。各種レイアウトのうち何れか一つを選択した場合、図１５に示す第九画面Ｄ９に遷移する。
【００７０】
図１５に示す第九画面Ｄ９においては、キャンセルコマンドＣ９１、完了コマンドＣ９２、及び、マイク台数入力ウィンドウＷ９１〜Ｗ９５が表示される。第九画面Ｄ９においてキャンセルコマンドＣ９１を選択した場合、第八画面Ｄ８に戻る。マイク台数入力ウィンドウＷ９１〜Ｗ９５に任意の数字を入力して完了コマンドＣ９２を選択すると、マイク台数が反映されたレイアウトを表示する第十画面Ｄ１０に遷移する。
【００７１】
図１６に示す第十画面Ｄ１０においては、キャンセルコマンドＣ１０１、完了コマンドＣ１０２、及び、マイク台数が反映されたレイアウトでマイクアイコンＭ１〜Ｍ２２が表示される。第十画面Ｄ１０においてキャンセルコマンドＣ１０１を選択した場合、第九画面Ｄ９に戻る。完了コマンドＣ１０２を選択すると、当該レイアウトの状態で図１１に示す第五画面Ｄ５に遷移する。
【００７２】
このように、本実施例に係る会議システムＭＳ１において、タブレットＴには、タブレットＴに予め記憶された配置レイアウトに基づいて、複数個の会議用マイクＭの配置形状が表示可能とされる。これにより、会場ごとに適切な会議用マイクＭのレイアウトを迅速にタブレットＴの画面上に表示することが可能となる。
【００７３】
図６に示すタブレットＴの開始方法選択画面Ｄｐにおいて、「メモリ呼び出し」コマンドＣｐ３を選択した場合、図１７に示す第十一画面Ｄ１１に遷移する。図１７に示す第十一画面Ｄ１１においては、キャンセルコマンドＣ１１１及び過去の会議用マイクＭの配置情報が表示される。キャンセルコマンドＣ１１１を選択した場合、開始方法選択画面Ｄｐに戻る。過去の会議用マイクＭの配置情報のうち何れか一つを選択した場合、当該配置情報に基づいてマイクレイアウトで図１１に示す第五画面Ｄ５に遷移する。
【００７４】
このように、本実施例に係る会議システムＭＳ１において、タブレットＴには、過去の会議用マイクＭの配置情報が記録される。これにより、過去と同じレイアウトで会議等を行う場合に、会議用マイクＭのレイアウトを迅速にタブレットＴの画面上に表示することが可能となる。なお、第十一画面Ｄ１１は、第二画面Ｄ２において第二コマンドＣ２の「メモリ」コマンドをタッチすることによっても遷移することが可能である（第三画面Ｄ３〜第五画面Ｄ５についても同様）。
【００７５】
また、本実施例に係る会議システムＭＳ１において、タブレットＴには、会議ごとに、全ての会議用マイクＭのＯＮ／ＯＦＦ時間等の操作履歴が記録される。これにより、過去の操作履歴を確認することにより、議事録作成（文字起こし）作業をする際の利便性が向上する。なお、会議用マイクＭごとに個別に録音機能を持たせることも可能である。
【００７６】
本実施例に係る会議システムＭＳ１は、第二画面Ｄ２において第二コマンドＣ２の「全体設定」コマンドをタッチした場合、図１８に示す全体設定画面である第十二画面Ｄ１２に遷移する。図１８に示す第十二画面Ｄ１２においては、キャンセルコマンドＣ１２１、完了コマンドＣ１２２、アプリ設定表示部Ｃ１２３、全マイク一括制御表示部Ｃ１２４、コントロールユニット設定表示部Ｃ１２５、及び、会場・会議名等入力ウィンドウＷ１２等が表示される。このように、本実施例に係る会議システムＭＳ１においては、会議用マイクＭごとの詳細設定を可能とするとともに、会議システムＭＳ１の全体的な設定も可能としている。
【００７７】
次に、本考案の別実施例に係る会議システムＭＳ２について、図１９を用いて説明する。本実施例に係る会議システムＭＳ２は、図１９に示す如く、上記の実施形態に係る会議システムＭＳ１の構成に加えて、システムコントローラーＳＣ、四個の通訳ブースＴＢ１〜ＴＢ４、ミキサーＭＩＣ、ワイヤレス受信機ＷＲ、有線マイクＣＭ、ワイヤレスマイクＷＬＭ等が制御装置ＣＵに接続されたものである。会議システムＭＳ２は、国際会議等、同時通訳が必要となる会議に採用される。
【００７８】
本実施例に係る会議システムＭＳ２において、通訳ブースＴＢ１には、二個のヘッドホンＨ１１・Ｈ１２が設けられ、二人で交代しながら一つの通訳ブースＴＢ１を使用できるように構成されている。通訳ブースＴＢ１には通訳マイクＴＭ１が通訳ユニットを介してヘッドホンＨ１１・Ｈ１２に接続されている。他の通訳ブースＴＢ２〜ＴＢ４についても同様に、ヘッドホンＨ２１〜Ｈ４２及び通訳マイクＴＭ２〜ＴＭ４が設けられる。
【００７９】
有線マイクＣＭ、ワイヤレスマイクＷＬＭから入力された音声、及び、各通訳ブースＴＢ１〜ＴＢ４から入力された通訳語は、システムコントローラーＳＣを介して制御装置ＣＵに送信される。この際、それぞれの音声データはチャンネルＣｈ１〜Ｃｈ４、又はチャンネルＣｈＦによって、制御装置ＣＵを介してスピーカーＳ又は各会議用マイクＭａ〜Ｍｎに送信される。
【００８０】
本実施例に係る会議システムＭＳ２は、同時通訳機器と連携して使用されるため、上記の如く４チャンネルの通訳語を聴取できる。各参加者は、会議用マイクＭにおける入力選択ボタン１６を用いて、イヤホン端子１９から出力される音声信号のチャンネルを変更することにより、４チャンネル（チャンネルＣｈ１〜Ｃｈ４）のなかから聴きたい通訳語を選択して聴取することができる。
【符号の説明】
【００８１】
１０    ベース（マイク支持部材）
１０ｔ  上面                       １０ｂ  下面                   
１０ｈ  コネクター受け（挿入孔）
１０ｆ  フェルト材                 １１    着脱ボタン（ロック解除機構）
１２    凹部                       １２ｆ  前面                   
１３    マイク端子                 １４    内蔵スピーカー         
１５    メインボタン               １６    入力選択ボタン         
１７    音量減ボタン               １８    音量増ボタン           
１９    イヤホン端子           
２０    マイク本体                 ２１    コネクター（固定部）   
２２    マイクヘッド（集音部）     ２２ａ  メッシュ               
２２ｂ  ＬＥＤリング               ２３    連結部                 
２３ａ  上部グースネック（第一の可動部）
２３ｂ  下部グースネック（第二の可動部）
２３ｃ  シャフト（棒体部）         ２３ｄ  グースネック嵌合部     
Ｍ    会議用マイク           
Ｃ    ケーブル（通信ケーブル）
Ｃｔ  ケーブル端子               ＭＳ    会議システム           
ＣＵ    制御装置                     Ｓ    会場スピーカー         
Ｔ    タブレット（タブレット型コンピュータ）
Ｈ    ヘッドホン                 ＴＢ    通訳ブース             
【図１】
0003230310.tif 000003
【図２】
0003230310.tif 000004
【図３】
0003230310.tif 000005
【図４】
0003230310.tif 000006
【図５】
0003230310.tif 000007
【図６】
0003230310.tif 000008
【図７】
0003230310.tif 000009
【図８】
0003230310.tif 000010
【図９】
0003230310.tif 000011
【図１０】
0003230310.tif 000012
【図１１】
0003230310.tif 000013
【図１２】
0003230310.tif 000014
【図１３】
0003230310.tif 000015
【図１４】
0003230310.tif 000016
【図１５】
0003230310.tif 000017
【図１６】
0003230310.tif 000018
【図１７】
0003230310.tif 000019
【図１８】
0003230310.tif 000020
【図１９】
0003230310.tif 000021